(57)【要約】【課題】施設の空気に含まれる放射性微粒子や放射性有機ヨウ素を確実に捕集かつ除去することができる放射性物質除去装置を提供する。【解決手段】放射性物質除去装置１０は、複合フィルタを挿脱可能に収容するケーシング１２と、ケーシング１２に空気を強制的に流入させる送風機１３とを備えている。複合フィルタは、塵埃を捕集するプレフィルタと、放射性微粒子を捕集する多風量のＨＥＰＡフィルタと、活性炭素繊維シートから作られて放射性有機ヨウ素を捕集する放射性有機ヨウ素除去フィルタとから形成されている。放射性物質除去装置１０では、一方向へジグザグに折り畳まれたＨＥＰＡフィルタと一方向へジグザグに折り畳まれた放射性有機ヨウ素除去フィルタとが対向し、放射性有機ヨウ素を吸着するアミン類が活性炭素繊維シートに添着されている。【選択図】図１
2013040884.tif 000002
【特許請求の範囲】
【請求項１】
放射性物質を放出する危険性を有する施設に設置される放射性物質除去装置において、
前記放射性物質除去装置が、空気流入口および空気流出口を有して複合フィルタを挿脱可能に収容する所定容積のケーシングと、前記ケーシングに連結されて該ケーシングに空気を強制的に流入させる送風機とを備え、前記複合フィルタが、前記施設内の空気に含まれる塵埃を捕集するプレフィルタと、前記空気に含まれる放射性微粒子を捕集する多風量のＨＥＰＡフィルタと、活性炭素繊維シートから作られて前記空気に含まれる放射性有機ヨウ素を捕集する放射性有機ヨウ素除去フィルタとから形成され、
前記放射性物質除去装置では、一方向へジグザグに整然と折り畳まれたＨＥＰＡフィルタと前記一方向へジグザグに整然と折り畳まれた放射性有機ヨウ素除去フィルタとが対向し、前記放射性有機ヨウ素を吸着するアミン類が前記活性炭素繊維シートに添着されていることを特徴とする放射性物質除去装置。
【請求項２】
前記ケーシングの内部では、前記空気流入口から前記空気流出口に向かって前記プレフィルタと前記ＨＥＰＡフィルタと前記放射性有機ヨウ素除去フィルタとが一列に並び、前記ＨＥＰＡフィルタは、その折り畳まれた回数が前記放射性有機ヨウ素除去フィルタのそれよりも多く、かつ、そこを通流する空気の抵抗が大きく、前記放射性物質除去装置では、前記ＨＥＰＡフィルタの空気抵抗によって該ＨＥＰＡフィルタの空気流入側の流入面における空気の圧力が該流入面全域において略一定になるとともに、前記ＨＥＰＡフィルタの空気流出側の流出面から流出する空気の風量が該流出面全域において略均一となり、前記ＨＥＰＡフィルタの流出面全域から略一定の風量の空気が前記放射性有機ヨウ素除去フィルタの空気流入側の流入面全域に向かって放出され、前記ＨＥＰＡフィルタから流出した空気が前記放射性有機ヨウ素除去フィルタ全域に満遍なく流入する請求項１に記載の放射性物質除去装置。
【請求項３】
前記放射性有機ヨウ素除去フィルタが、第１折曲部と前記第１折曲部の反対側に位置する第２折曲部とを有し、前記放射性有機ヨウ素除去フィルタの第１折曲部から第２折曲部までの長さ寸法が、前記ケーシングの空気流入口の面積を一定としたときの該空気流入口に流入する前記空気の風量によって決定される請求項１または請求項２に記載の放射性物質除去装置。
【請求項４】
前記放射性物質除去装置が、前記プレフィルタの空気流入側に設置されて前記空気流入口から流入する空気の圧力を計測する第１圧力センサと、前記プレフィルタの空気流出側に設置されて該プレフィルタから流出した空気の圧力を計測する第２圧力センサと、前記ＨＥＰＡフィルタの空気流出側に設置されて該ＨＥＰＡフィルタから流出した空気の圧力を計測する第３圧力センサとを含み、前記放射性物質除去装置では、前記第１圧力センサが計測した圧力と前記第２圧力センサが計測した圧力とから前記プレフィルタの空気流入側と空気流出側とにおける差圧を検出するとともに、前記第２圧力センサが計測した圧力と前記第３圧力センサが計測した圧力とから前記ＨＥＰＡフィルタの空気流入側と空気流出側とにおける差圧を検出する請求項１ないし請求項３いずれかに記載の放射性物質除去装置。
【請求項５】
前記放射性有機ヨウ素除去フィルタの面速が、１０〜２５ｃｍ／ｓｅｃの範囲にあり、前記空気の湿度９５％における前記放射性有機ヨウ素除去フィルタの放射性有機ヨウ素除去効率が、９５％以上である請求項１ないし請求項４いずれかに記載の放射性物質除去装置。
【請求項６】
前記面速における前記放射性有機ヨウ素除去フィルタの圧力損失が、１００〜３００Ｐａの範囲にある請求項５に記載の放射性物質除去装置。
【請求項７】
前記活性炭素繊維シートの平均繊維径が、１０〜１８μｍの範囲にあり、前記放射性有機ヨウ素除去フィルタの目付が、１００〜３５０ｇ／ｍ２の範囲、前記放射性有機ヨウ素除去フィルタのみかけの嵩密度が、０．０３〜０．１３ｇ／ｃｍ３の範囲にある請求項１ないし請求項６いずれかに記載の放射性物質除去装置。
【請求項８】
前記活性炭素繊維シートの厚み寸法が、２〜４ｍｍの範囲にあり、前記放射性有機ヨウ素除去フィルタが、１枚の前記活性炭素繊維シートから作られ、前記放射性有機ヨウ素除去フィルタの一方向への折り曲げ回数が、該放射性有機ヨウ素除去フィルタの一方向の長さ１００ｍｍに対して１６〜２０回の範囲にある請求項１ないし請求項７いずれかに記載の放射性物質除去装置。
【請求項９】
前記活性炭素繊維シートの厚み寸法が、２〜４ｍｍの範囲にあり、前記放射性有機ヨウ素除去フィルタが、２枚の前記活性炭素繊維シートから作られ、前記放射性有機ヨウ素除去フィルタの一方向への折り曲げ回数が、該放射性有機ヨウ素除去フィルタの一方向の長さ１００ｍｍに対して８〜１０回の範囲にある請求項１ないし請求項７いずれかに記載の放射性物質除去装置。
【請求項１０】
前記活性炭素繊維シートが、繊維不織布、織物、編み物のうちのいずれかの形態を有する請求項１ないし請求項９いずれかに記載の放射性物質除去装置。
【請求項１１】
前記放射性有機ヨウ素除去フィルタの全体が、撥水性繊維不織布または疎水性繊維不織布に包被されている請求項１ないし請求項１０いずれかに記載の放射性物質除去装置。
【請求項１２】
前記アミン類が、トリエチレンジアミンＣ６Ｈ１２Ｎ２であり、前記活性炭素繊維シートの単位重量に対する前記トリエチレンジアミンＣ６Ｈ１２Ｎ２の添着量が、１０〜２０重量％の範囲にある請求項１ないし請求項１１いずれかに記載の放射性物質除去装置。
【発明の詳細な説明】
【技術分野】
【０００１】
本発明は、放射性物質を放出する危険性を有する施設に設置される放射性物質除去装置に関する。
【背景技術】
【０００２】
細孔直径３〜３０ｎｍの細孔容積が０．１５ｃｃ／ｇ以下であって、細孔直径３ｎｍ未満の細孔容積が０．５０ｃｃ／ｇ以上の細孔形状を有する活性炭素繊維シートに有機吸着に有効なアミンを添着し、このシートの一方に保護シートを積層した放射性物質除去フィルタがある（特許文献１参照）。
【０００３】
また、活性炭素繊維を主材料とした２層以上の積層シートから形成され、積層シートの１層以上が編地状の活性炭素繊維シートであり、その積層シートの透過速度係数が０．０２〜０．２ｃｍ／ｓ／Ｐａの範囲にある放射性物質除去フィルタがある（特許文献２参照）。積層シートの透過速度係数は、一定の圧力損失の下における空気の風速を示す。
【０００４】
前記特許文献１や前記特許文献２に開示の放射性物質除去フィルタは、原子力関連施設や放射線発生装置を利用する医療機関において空気中の放射性物質の除去に利用される。それら放射性物質除去フィルタは、一方向へ起伏を繰り返すようにジグザグに折り畳まれた状態でフィルタケースに収容され、フィルタケースを介して放射性物質除去装置に着脱可能に設置される。放射性物質除去装置では、送風機によって空気を強制的にフィルタケースに流入させ、放射性物質除去フィルタを介して空気を清浄し、その空気を装置外に排気する。
【先行技術文献】
【特許文献】
【０００５】
【特許文献１】特開２００４−２０５４９０号公報
【特許文献２】特開２００６−１１２８２０号公報
【発明の概要】
【発明が解決しようとする課題】
【０００６】
前記特許文献１に開示の放射性物質除去フィルタは、それの面速を速くすると、放射性物質の除去性能が低下し、放射性物質を確実に除去することができない場合がある。逆に面速を遅くすると、単位時間当たりの空気の清浄処理量が低下する。したがって、このフィルタは、放射性物質の確実な除去と空気の清浄処理量の向上とを両立させることが難しい。
【０００７】
前記特許文献２に開示の放射性物質除去フィルタは、それを形成する積層シートの透過速度係数が０．０２〜０．２ｃｍ／ｓ／Ｐａの範囲にあり、フィルタにおける面速が速いものの、放射性物質の除去効率が明らかではなく、放射性物質がフィルタに捕集されず、放射性物質を確実に除去することができない場合がある。
【０００８】
本発明の目的は、単位時間当たりの空気の清浄処理量を多くすることができるとともに、空気中の放射性微粒子や放射性有機ヨウ素を確実に捕集かつ除去することができる放射性物質除去装置を提供することにある。
【課題を解決するための手段】
【０００９】
前記課題を解決するための本発明の前提は、放射性物質を放出する危険性を有する施設に設置される放射性物質除去装置である。
【００１０】
前記前提における本発明の特徴は、放射性物質除去装置が、空気流入口および空気流出口を有して複合フィルタを挿脱可能に収容する所定容積のケーシングと、ケーシングに連結されてケーシングに空気を強制的に流入させる送風機とを備え、複合フィルタが、施設内の空気に含まれる塵埃を捕集するプレフィルタと、空気に含まれる放射性微粒子を捕集する多風量のＨＥＰＡフィルタと、活性炭素繊維シートから作られて空気に含まれる放射性有機ヨウ素を捕集する放射性有機ヨウ素除去フィルタとから形成され、放射性物質除去装置では、一方向へジグザグに整然と折り畳まれたＨＥＰＡフィルタと一方向へジグザグに整然と折り畳まれた放射性有機ヨウ素除去フィルタとが対向し、放射性有機ヨウ素を吸着するアミン類が活性炭素繊維シートに添着されていることにある。
【００１１】
本発明の一例として、ケーシングの内部では、空気流入口から空気流出口に向かってプレフィルタとＨＥＰＡフィルタと放射性有機ヨウ素除去フィルタとが一列に並び、ＨＥＰＡフィルタは、その折り畳まれた回数が放射性有機ヨウ素除去フィルタのそれよりも多く、かつ、そこを通流する空気の抵抗が大きく、放射性物質除去装置では、ＨＥＰＡフィルタの空気抵抗によってＨＥＰＡフィルタの空気流入側の流入面における空気の圧力が流入面全域において略一定になるとともに、ＨＥＰＡフィルタの空気流出側の流出面から流出する空気の風量が流出面全域において略均一となり、ＨＥＰＡフィルタの流出面全域から略一定の風量の空気が放射性有機ヨウ素除去フィルタの空気流入側の流入面全域に向かって放出され、ＨＥＰＡフィルタから流出した空気が放射性有機ヨウ素除去フィルタ全域に満遍なく流入する。
【００１２】
本発明の他の一例としては、放射性有機ヨウ素除去フィルタが第１折曲部と第１折曲部の反対側に位置する第２折曲部とを有し、放射性有機ヨウ素除去フィルタの第１折曲部から第２折曲部までの長さ寸法がケーシングの空気流入口の面積を一定としたときの空気流入口に流入する空気の風量によって決定される。
【００１３】
本発明の他の一例としては、放射性物質除去装置が、プレフィルタの空気流入側に設置されて空気流入口から流入する空気の圧力を計測する第１圧力センサと、プレフィルタの空気流出側に設置されてプレフィルタから流出した空気の圧力を計測する第２圧力センサと、ＨＥＰＡフィルタの空気流出側に設置されてＨＥＰＡフィルタから流出した空気の圧力を計測する第３圧力センサとを含み、放射性物質除去装置では、第１圧力センサが計測した圧力と第２圧力センサが計測した圧力とからプレフィルタの空気流入側と空気流出側とにおける差圧を検出するとともに、第２圧力センサが計測した圧力と第３圧力センサが計測した圧力とからＨＥＰＡフィルタの空気流入側と空気流出側とにおける差圧を検出する。
【００１４】
本発明の他の一例としては、放射性有機ヨウ素除去フィルタの面速が１０〜２５ｃｍ／ｓｅｃの範囲にあり、空気の湿度９５％における放射性有機ヨウ素除去フィルタの放射性有機ヨウ素除去効率が９５％以上である。
【００１５】
本発明の他の一例としては、面速１０〜２５ｃｍ／ｓｅｃにおける放射性有機ヨウ素除去フィルタの圧力損失が１００〜３００Ｐａの範囲にある。
【００１６】
本発明の他の一例としては、活性炭素繊維シートの平均繊維径が１０〜１８μｍの範囲にあり、放射性有機ヨウ素除去フィルタの目付が１００〜３５０ｇ／ｍ２の範囲、放射性有機ヨウ素除去フィルタのみかけの嵩密度が０．０３〜０．１３ｇ／ｃｍ３の範囲にある。
【００１７】
本発明の他の一例としては、活性炭素繊維シートの厚み寸法が２〜４ｍｍの範囲にあり、放射性有機ヨウ素除去フィルタが１枚の活性炭素繊維シートから作られ、放射性有機ヨウ素除去フィルタの一方向への折り曲げ回数が放射性有機ヨウ素除去フィルタの一方向の長さ１００ｍｍに対して１６〜２０回の範囲にある。
【００１８】
本発明の他の一例としては、活性炭素繊維シートの厚み寸法が２〜４ｍｍの範囲にあり、放射性有機ヨウ素除去フィルタが２枚の活性炭素繊維シートから作られ、放射性有機ヨウ素除去フィルタの一方向への折り曲げ回数が放射性有機ヨウ素除去フィルタの一方向の長さ１００ｍｍに対して８〜１０回の範囲にある。
【００１９】
本発明の他の一例としては、活性炭素繊維シートが繊維不織布、織物、編み物のうちのいずれかの形態を有する。
【００２０】
本発明の他の一例としては、放射性有機ヨウ素除去フィルタの全体が撥水性繊維不織布または疎水性繊維不織布に包被されている。
【００２１】
本発明の他の一例としては、アミン類がトリエチレンジアミンＣ６Ｈ１２Ｎ２であり、活性炭素繊維シートの単位重量に対するトリエチレンジアミンＣ６Ｈ１２Ｎ２の添着量が１０〜２０重量％の範囲にある。
【発明の効果】
【００２２】
本発明にかかる放射性物質除去装置によれば、複合フィルタがＨＥＰＡフィルタと放射性有機ヨウ素除去フィルタとを含み、ＨＥＰＡフィルタが施設の空気に含まれる放射性微粒子を捕集し、放射性有機ヨウ素除去フィルタが高比表面積かつ微細な多数の細孔を有してアミン類が添着された活性炭素繊維シートから作られて空気に含まれる放射性有機ヨウ素を捕集するから、施設の空気に含まれる放射性微粒子や放射性有機ヨウ素を確実に捕集かつ除去することができ、施設において放射性微粒子や放射性有機ヨウ素を除去した清浄な空気を作ることができる。放射性物質除去装置は、放射性微粒子や放射性有機ヨウ素が発生するおそれがある原子力関連施設や医療施設に使用することで、それら施設から発生する放射性微粒子や放射性有機ヨウ素を確実に除去することができ、それら施設の安全性を確保することができる。
【００２３】
ＨＥＰＡフィルタの折り畳まれた回数が前記放射性有機ヨウ素除去フィルタのそれよりも多く、かつ、ＨＥＰＡフィルタを通流する空気の抵抗が大きく、ＨＥＰＡフィルタの空気流入側の流入面における空気の圧力が流入面全域において略一定になるようにＨＥＰＡフィルタに流入する空気が整流され、ＨＥＰＡフィルタから流出した空気が放射性有機ヨウ素除去フィルタ全域に満遍なく流入する放射性物質除去装置は、局所的に偏った風量の空気が放射性有機ヨウ素除去フィルタに流入すると、除去フィルタの放射性有機ヨウ素除去機能を十分に活用することができないが、ＨＥＰＡフィルタの流出面全域から略一定の風量の空気が除去フィルタの空気流入側の流入面全域に向かって放出され、略一定の風量の空気が除去フィルタの空気流入側の流入面全域から除去フィルタに流入するから、除去フィルタの放射性有機ヨウ素除去機能を最大限に活用することができ、施設の空気に含まれる放射性有機ヨウ素を確実に捕集かつ除去することができるとともに、施設において放射性有機ヨウ素を除去した清浄な空気を作ることができる。放射性物質除去装置は、空気がＨＥＰＡフィルタに局所的に流入すると、ＨＥＰＡフィルタの放射性微粒子除去機能を十分に活用することができないが、空気がＨＥＰＡフィルタの空気流入側の流入面全域からＨＥＰＡフィルタに流入するから、ＨＥＰＡフィルタの放射性微粒子除去機能を最大限に活用することができ、施設の空気に含まれる放射性微粒子を確実に捕集かつ除去することができるとともに、施設において放射性微粒子を除去した清浄な空気を作ることができる。
【００２４】
放射性有機ヨウ素除去フィルタの第１折曲部から第２折曲部までの長さ寸法がケーシングの空気流入口の面積を一定としたときの空気流入口に流入する空気の風量によって決定される放射性物質除去装置は、ケーシングの空気流入口の面積を一定に保持しつつ、その空気流入口から流入させる空気の風量によって放射性有機ヨウ素除去フィルタの第１折曲部から第２折曲部までの寸法を決めることができ、空気流入口の面積を規格のそれに保持しつつ、その規格内において除去フィルタにおける風量を自由に選択することができ、単位時間当たりの空気の清浄処理量を自由に決めることができる。放射性物質除去装置は、放射性有機ヨウ素除去フィルタの第１折曲部から第２折曲部までの寸法を最適なそれにすることができ、除去フィルタの放射性有機ヨウ素除去機能を最大限に活用することで、施設の空気に含まれる放射性有機ヨウ素を確実に捕集かつ除去することができ、施設において放射性微粒子や放射性有機ヨウ素を除去した清浄な空気を作ることができる。
【００２５】
第１圧力センサが計測した圧力と第２圧力センサが計測した圧力とからプレフィルタの空気流入側と空気流出側とにおける差圧を検出するとともに、第２圧力センサが計測した圧力と第３圧力センサが計測した圧力とからＨＥＰＡフィルタの空気流入側と空気流出側とにおける差圧を検出する放射性物質除去装置は、プレフィルタの空気流入側と空気流出側とにおける差圧によってプレフィルタの交換時期を把握することができ、ＨＥＰＡフィルタの空気流入側と空気流出側とにおける差圧によってＨＥＰＡフィルタの交換時期を把握することができるから、プレフィルタやＨＥＰＡフィルタの交換時期を正確に判断することができる。放射性物質除去装置は、プレフィルタやＨＥＰＡフィルタを適時に交換することができるから、それらフィルタが目詰まりすることによる塵埃の除去機能の低下や放射性微粒子の除去機能の低下、放射性有機ヨウ素の除去機能の低下を防ぐことができ、施設の空気に含まれる放射性微粒子や放射性有機ヨウ素を確実に捕集かつ除去することができ、施設において放射性微粒子や放射性有機ヨウ素を除去した清浄な空気を作ることができる。
【００２６】
放射性有機ヨウ素除去フィルタの面速が１０〜２５ｃｍ／ｓｅｃの範囲にあり、空気の湿度９５％における放射性有機ヨウ素除去フィルタの放射性有機ヨウ素除去効率が９５％以上である放射性物質除去装置は、放射性有機ヨウ素除去フィルタの面速が前記範囲にあり、除去フィルタが空気の高湿度環境下において優れた放射性有機ヨウ素除去性能を発揮するとともに、除去フィルタにおける空気の通過速度が速くかつ除去フィルタを通過する空気の流量が多いから、放射性物質除去装置における単位時間当たりの空気の清浄処理量を多くすることができるのみならず、空気に含まれる放射性有機ヨウ素を確実に捕集かつ除去することができ、施設において放射性微粒子や放射性有機ヨウ素を除去した清浄な空気を作ることができる。
【００２７】
面速１０〜２５ｃｍ／ｓｅｃにおける放射性有機ヨウ素除去フィルタの圧力損失が１００〜３００Ｐａの範囲にある放射性物質除去装置は、所定の面速に対する放射性有機ヨウ素除去フィルタの圧力損失が低く、除去フィルタを通過する空気の通過速度が速くかつ除去フィルタを通過する空気の流量が多いから、放射性物質除去装置における単位時間当たりの空気の清浄処理量を多くすることができる。放射性物質除去装置は、放射性有機ヨウ素除去フィルタを通過する空気の通過速度が速く、フィルタを通過する空気の流量が多いにもかかわらず、９５％以上の放射性有機ヨウ素除去効率を有しており、空気に含まれる放射性有機ヨウ素を確実に捕集かつ除去することができる。
【００２８】
活性炭素繊維シートの平均繊維径が１０〜１８μｍの範囲、放射性有機ヨウ素除去フィルタの目付が１００〜３５０ｇ／ｍ２の範囲、放射性有機ヨウ素除去フィルタのみかけの嵩密度が０．０３〜０．１３ｇ／ｃｍ３の範囲にある放射性物質除去装置は、放射性有機ヨウ素除去フィルタを一方向へジグザグに折り畳んだときのその除去フィルタの全体寸法をコンパクトにすることができるとともに、単位体積当たりの除去フィルタの重量を少なくすることができ、それにともなって放射性物質除去装置自体をコンパクトにすることができる。放射性物質除去装置は、それをコンパクトにすることができるにもかかわらず、単位時間当たりの空気の清浄処理量を多くすることができ、かつ、空気に含まれる放射性有機ヨウ素を確実に捕集かつ除去することができる。
【００２９】
活性炭素繊維シートの厚み寸法が２〜４ｍｍの範囲にあり、放射性有機ヨウ素除去フィルタが１枚の活性炭素繊維シートから作られ、放射性有機ヨウ素除去フィルタの一方向への折り曲げ回数が放射性有機ヨウ素除去フィルタの一方向の長さ１００ｍｍに対して１６〜２０回の範囲にある放射性物質除去装置は、一方向へジグザグに折り畳んだ放射性有機ヨウ素除去フィルタの全体寸法をコンパクトにすることができるとともに、単位体積当たりの除去フィルタの重量を少なくすることができ、それにともなって放射性物質除去装置自体をコンパクトにすることができる。放射性物質除去装置は、放射性有機ヨウ素除去フィルタの折り曲げ回数が前記範囲にあることで、除去フィルタにおける面速を速くすることができ、放射性物質除去装置における単位時間当たりの空気の清浄処理量を多くすることができるとともに、除去フィルタの比表面積を確保することができ、放射性物質除去装置における放射性有機ヨウ素の高い捕集性能を維持することができる。放射性物質除去装置は、それをコンパクトにすることができるにもかかわらず、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００３０】
活性炭素繊維シートの厚み寸法が２〜４ｍｍの範囲にあり、放射性有機ヨウ素除去フィルタが２枚の活性炭素繊維シートから作られ、放射性有機ヨウ素除去フィルタの一方向への折り曲げ回数が放射性有機ヨウ素除去フィルタの一方向の長さ１００ｍｍに対して８〜１０回の範囲にある放射性物質除去装置は、一方向へジグザグに折り畳んだ放射性有機ヨウ素除去フィルタの全体寸法をコンパクトにすることができるとともに、単位体積当たりの除去フィルタの重量を少なくすることができ、それにともなって放射性物質除去装置自体をコンパクトにすることができる。放射性物質除去装置は、放射性有機ヨウ素除去フィルタの折り曲げ回数が前記範囲にあることで、除去フィルタにおける面速を速くすることができ、放射性物質除去装置における単位時間当たりの空気の清浄処理量を多くすることができるとともに、除去フィルタの比表面積を確保することができ、放射性物質除去装置における放射性有機ヨウ素の高い捕集性能を維持することができる。放射性物質除去装置は、それをコンパクトにすることができるにもかかわらず、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００３１】
活性炭素繊維シートが繊維不織布、織物、編み物のうちのいずれかの形態を有する放射性物質除去装置は、活性炭素繊維シートが不織布の形態を有する場合、放射性有機ヨウ素除去フィルタの通気性や加工性が向上するとともに、除去フィルタにおける放射性有機ヨウ素の吸着速度を速くすることができ、放射性物質除去装置における放射性有機ヨウ素の除去速度を速くすることができる。また、活性炭素繊維シートが織物または編み物の形態を有する場合、放射性有機ヨウ素除去フィルタの通気性や加工性が向上するとともに、除去フィルタの強度や柔軟性が高く、放射性物質除去装置におけるフィルタの操作性を向上させることができる。
【００３２】
放射性有機ヨウ素除去フィルタの全体が撥水性繊維不織布または疎水性繊維不織布に包被されている放射性物質除去装置は、撥水性繊維不織布または疎水性繊維不織布によって水分が放射性有機ヨウ素除去フィルタに達することはなく、除去フィルタが水に濡れることによる除去フィルタの放射性有機ヨウ素除去機能の低下を防ぐことができ、放射性物質除去装置における放射性有機ヨウ素除去性能の低下を防ぐことができる。また、放射性有機ヨウ素除去フィルタが直接外部に露出することによる除去フィルタの破損を防ぐことができ、除去フィルタが破損することによる除去フィルタの放射性有機ヨウ素除去機能の低下を防ぐことができる。
【００３３】
アミン類がトリエチレンジアミンＣ６Ｈ１２Ｎ２であり、活性炭素繊維シートの単位重量に対するトリエチレンジアミンＣ６Ｈ１２Ｎ２の添着量が１０〜２０重量％の範囲にある放射性物質除去装置は、アミン類のうち、放射性有機ヨウ素の高い吸着機能を有するトリエチレンジアミンＣ６Ｈ１２Ｎ２を利用することで、放射性有機ヨウ素がそのトリエチレンジアミンＣ６Ｈ１２Ｎ２に瞬時に吸着されるから、空気に含まれる放射性有機ヨウ素を確実に捕集かつ除去することができる。放射性物質除去装置は、一度吸着した放射性有機ヨウ素をトリエチレンジアミンＣ６Ｈ１２Ｎ２が放出することはなく、捕集された放射性有機ヨウ素の装置からの再飛散を確実に防ぐことができる。
【図面の簡単な説明】
【００３４】
【図１】一例として示す放射性物質除去装置の正面図。
【図２】放射性物質除去装置の側面図。
【図３】放射性物質除去装置の背面図。
【図４】放射性物質除去装置の上面図。
【図５】複合フィルタを形成する各フィルタを示す図。
【図６】放射性有機ヨウ素除去フィルタの部分拡大図。
【図７】フィルタ収容スペースへの複合フィルタの収容状態の一例を示す図。
【図８】放射性有機ヨウ素除去フィルタを形成する活性炭素繊維積層シートの部分拡大図。
【図９】放射性有機ヨウ素除去効率の試験装置を示す図。
【図１０】フィルタ収容スペースへの複合フィルタの収容状態の他の一例を示す図。
【図１１】放射性有機ヨウ素除去フィルタを形成する活性炭素繊維シートの部分拡大図。
【発明を実施するための形態】
【００３５】
一例として示す放射性物質除去装置１０の正面図である図１等の添付の図面を参照し、本発明にかかる放射性物質除去装置の詳細を説明すると、以下のとおりである。なお、図２は、放射性物質除去装置１０の側面図であり、図３は、放射性物質除去装置１０の背面図である。図４は、放射性物質除去装置１０の上面図であり、図５は、複合フィルタ２５を形成する各フィルタ３６〜３８を示す図である。図３は、後壁２２を旋回させてケーシング１２のフィルタ収容スペース２６を開放した状態にあり、フィルタ収容スペース２６に各フィルタ３６〜３８が収容されている。図１〜３では、上下方向を矢印Ａ、横方向を矢印Ｂで示し（図１，３のみ）、前後方向を矢印Ｃで示す（図２のみ）。
【００３６】
放射性物質除去装置１０は、放射性微粒子を放出するおそれや放射性有機ヨウ素が発生するおそれがある原子力関連施設や医療施設（放射線治療施設）に設置され、それら施設の空気に含まれる塵埃や放射性微粒子、放射性有機ヨウ素の除去に使用される。なお、原子力関連施設には、原子力発電所、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００３７】
放射性物質除去装置１０は、機器設置用架台１１（設置枠）と、ケーシング１２および送風機１３と、第１〜第３圧力センサ１４〜１６と、コントロールボックス１７とから構成されている。器機設置用架台１０は、上下方向へ延びる金属柱（鉄やアルミニウム、合金等）と横方向および前後方向へ延びる金属柱（鉄やアルミニウム、合金等）とから作られ、それら金属柱を連結（溶接）した四角形の枠状に成型されている。器機設置用架台１０の下端には、４つのストッパー付き自在キャスター１８が取り付けられている。放射性物質除去装置１０は、それらキャスター１８によって自由に移動させることができる。
【００３８】
ケーシング１２は、頂底壁１９，２０と前後壁２１，２２と両側壁２３，２４とを有し、四角形のそれら壁１９〜２４が互いに直角に交差する六面体であり、上下方向へ長い四角柱状に成型されている。ケーシング１２は、機器設置用架台１１の上部と中間部とに配置（固定）されている。ケーシング１２は、後記する複合フィルタ２５（プレフィルタ３６、ＨＥＰＡフィルタ３７、放射性有機ヨウ素除去フィルタ３８）を挿脱可能に収容する所定容積のフィルタ収容スペース２６を有する。
【００３９】
ケーシング１２は、鉄やアルミニウム、合金等の金属または合成樹脂から作られている。ケーシング１２の頂壁１９には、所定面積の空気流入口２７を有する上下方向へ長い円筒状の吸気管２８が設置（固定）されている。吸気管２８は、鉄やアルミニウム、合金等の金属または合成樹脂から作られている。空気流入口２７は、図４に示すように、その平面形状が円形に成形されている。ケーシング１２の底壁２０には、所定面積の空気流出口（図示せず）が形成されている。
【００４０】
ケーシング１２では、図３に示すように、その後壁２２が蝶番２９を介して側壁２４に旋回可能に連結されている。後壁２２を旋回させることで、フィルタ収容スペース２６を開放または閉鎖することができる。ケーシング１２では、蝶番２９を旋回中心として後壁２２を矢印Ｂ１で示す横方向へ旋回させることで、フィルタ収容スペース２６が開放される。逆に、蝶番２９を旋回中心として後壁２２を矢印Ｂ２で示す横方向へ旋回させることで、スペース２６が閉鎖される。後壁２２を旋回させてフィルタ収容スペース２６を閉鎖すると、後壁２２と頂底壁１０，２０とが固定手段（図示せず）を介して気密に密着するとともに、後壁２２と両側壁２３，２４とが固定手段を介して気密に密着する。
【００４１】
フィルタ収容スペース２６には、上下方向へ並ぶ３つの枠部材３０〜３２（フィルタ支持ガイド）が取り付けられている。フィルタ収容スペース２６は、それら枠部材３０〜３２によって上下方向へ並ぶ３つのスペース３３〜３５に仕切られている。フィルタ収容スペース２６は、その上部にプレフィルタ収容スペース３３が形成され、その中間部にＨＥＰＡフィルタ収容スペース３４が形成されているとともに、その下部に放射性有機ヨウ素除去フィルタ収容スペース３５が形成されている。フィルタ収容スペース２６では、その上部から下部に向かってプレフィルタ収容スペース３３、ＨＥＰＡフィルタ収容スペース３４、放射性有機ヨウ素除去フィルタ収容スペース３５の順に並んでいる。
【００４２】
プレフィルタ収容スペース３３には、プレフィルタ３６が挿脱可能に収容され、ＨＥＰＡフィルタ収容スペース３４には、多風量のＨＥＰＡフィルタ３７が挿脱可能に収容される。放射性有機ヨウ素除去フィルタ収容スペース３５には、放射性有機ヨウ素除去フィルタ３８が挿脱可能に収容される。それらフィルタ３６〜３８を各収容スペース３３〜３５に収容すると、ケーシング１２の空気流入口２７（吸気管２８）から空気流出口に向かってプレフィルタ３６とＨＥＰＡフィルタ３７と放射性有機ヨウ素除去フィルタ３８とが一列に並ぶ。
【００４３】
プレフィルタ３６は、施設の空気に含まれる塵埃を捕集する。プレフィルタ３６は、プレフィルタ収容スペース３３と略同形同大の四角柱状、または、スペース３３と略同形であってスペース３３よりもわずかに小さい四角柱状に成形されている。プレフィルタ３６は、吸気管２８の側（空気流入側）に位置する流入面３９と、ＨＥＰＡフィルタ３７に対向する空気流出側の流出面４０とを有する。プレフィルタ３６の濾材としては、合成樹脂繊維から作られた不織布やガラス繊維を使用することができる。プレフィルタ３６は、粒径が０．８〜３μｍの粒子（塵埃）に対する捕集効率が９９．９％以上の機能を有する。
【００４４】
ＨＥＰＡフィルタ３７は、施設の空気に含まれる微細な塵埃や放射性微粒子を捕集する。ＨＥＰＡフィルタ３７は、ＨＥＰＡフィルタ収容スペース３４と略同形同大の四角柱状、または、スペース３４と略同形であってスペース３４よりもわずかに小さい四角柱状に成形されている（後記するジグザグに折り畳まれた四角柱状に成形されている）。ＨＥＰＡフィルタ３７は、プレフィルタ３６に対向する空気流入側の流入面４１と、放射性有機ヨウ素除去フィルタ３８に対向する空気流出側の流出面４２とを有する。ＨＥＰＡフィルタ３７の濾材としては、ガラス繊維を使用することができる。ＨＥＰＡフィルタ３７は、定格風量において粒径が０．３μｍの粒子に対する捕集効率が９９．７％以上であり、初期圧力損失が２４５Ｐａ以下の機能を有する。
【００４５】
放射性有機ヨウ素除去フィルタ３８は、施設の空気に含まれる放射性有機ヨウ素を捕集する。放射性有機ヨウ素除去フィルタ３８は、放射性有機ヨウ素除去フィルタ収容スペース３５と略同形同大の四角柱状、または、スペース３５と略同形であってスペース３６よりもわずかに小さい四角柱状に成形されている（後記するジグザグに折り畳まれた四角柱状に成形されている）。放射性有機ヨウ素除去フィルタ３８は、ＨＥＰＡフィルタ３７に対向する空気流入側の流入面４３と、送風機１３の側（空気流出側）に位置する流出面４４とを有する。
【００４６】
第１圧力センサ１４は、プレフィルタ３６の空気流入側（プレフィルタ３６の流入面３９近傍）に設置され、インターフェイス４５を介してコントロールボックス１７に接続されている。第１圧力センサ１４は、プレフィルタ３６の流入面３９近傍における空気の圧力（空気流入口２７から流入する空気の圧力）を計測し、計測した圧力をコントロールボックス１７に出力する。
【００４７】
第２圧力センサ１５は、プレフィルタ３６の空気流出側（プレフィルタ３６の流出面４０近傍、ＨＥＰＡフィルタ３７の流入面４１近傍）に設置され、インターフェイス４５を介してコントロールボックス１７に接続されている。第２圧力センサ１５は、プレフィルタ３６の流出面４０近傍における空気の圧力（プレフィルタ３６から流出した空気の圧力、ＨＥＰＡフィルタ３７の流入する空気の圧力）を計測し、計測した圧力をコントロールボックス１７に出力する。
【００４８】
第３圧力センサ１６は、ＨＥＰＡフィルタ３７の空気流出側（ＨＥＰＡフィルタ３７の流出面４２近傍）に設置され、インターフェイス４５を介してコントロールボックス１７に接続されている。第３圧力センサ１６は、ＨＥＰＡフィルタ３７の流出面４２近傍における空気の圧力（ＨＥＰＡフィルタ３７から流出した空気の圧力）を計測し、計測した圧力をコントロールボックス１７に出力する。
【００４９】
送風機１３は、機器設置用架台１１の下部に配置（固定）されている。送風機１３は、ケーシング１２の底壁２０に形成された空気流出口に気密に連結され、ケーシング１２に空気を強制的に流入させる。送風機１３は、インターフェイスを介してコントロールボックス１７に接続されている。送風機１３には、排気管４６が連結されている。送風機１３には、遠心型送風機が使用されているが、軸流送風機や、斜流送風機を使用することもできる。
【００５０】
コントロールボックス１７は、テンキーユニット４７やディスプレイ４８、スイッチ４９が附属する制御装置であり、送風機１３の回転数（出力）を設定された回転数に保持する。テンキーユニット４７の入力キーを介して送風機１３の回転数を入力すると、コントロールボックス１７は、入力された回転数で送風機１３を運転する。
【００５１】
コントロールボックス１７は、第１〜第３圧力センサ１４〜１６が計測した空気の圧力に基づき、プレフィルタ３６の空気流入側と空気流出側とにおける空気の圧力の第１差圧（プレフィルタ３６の流入面３９近傍の空気の圧力と流出面４０近傍とにおける空気の圧力との差）を算出するとともに、ＨＥＰＡフィルタ３７の空気流入側と空気流出側とにおける空気の圧力の第２差圧（ＨＥＰＡフィルタ３７の流入面４１近傍の空気の圧力と流出面４２近傍とにおける空気の圧力との差）を算出する。
【００５２】
コントロールボックス１７は、算出した第１差圧とあらかじめ設定された第１設定差圧とを比較し、第１差圧が第１設定差圧を超過すると、ディスプレイ４８に警告メッセージ（プレフィルタ３６の交換メッセージ）を表示し、プレフィルタ３６の交換時期を知らせる。コントロールボックス１７は、算出した第２差圧とあらかじめ設定された第２設定差圧とを比較し、第２差圧が第２設定差圧を超過すると、ディスプレイ４８に警告メッセージ（ＨＥＰＡフィルタ３７の交換メッセージ）を表示し、ＨＥＰＡフィルタ３７の交換時期を知らせる。第１設定差圧や第２設定差圧は、テンキーユニット４７の入力キーを介して自由に設定することができる。
【００５３】
図６は、放射性有機ヨウ素除去フィルタ３８の部分拡大図であり、図７は、フィルタ収容スペース２６への複合フィルタ２５の収容状態の一例を示す図である。図８は、放射性有機ヨウ素除去フィルタ３８を形成する活性炭素繊維積層シート５６の部分拡大図である。図８では、セパレータ５８の図示を省略している。複合フィルタ２５は、プレフィルタ３６とＨＥＰＡフィルタ３７と放射性有機ヨウ素除去フィルタ３８とから形成されている。
【００５４】
複合フィルタ２５では、フィルタ収容スペース２６の上部から下部に向かって、プレフィルタ３６、ＨＥＰＡフィルタ３７、放射性有機ヨウ素除去フィルタ３８の順に並んでいる。なお、複合フィルタ２５では、それらフィルタ３６〜３８が一連につながって一体化したものではなく、それらフィルタ３６〜３８が独立して存在し、各収容スペース３３〜３５に別々に収容される。それらフィルタ３６〜３８が各収容スペース３３〜３５に収容されることで、複合フィルタ２５を形成する。
【００５５】
ＨＥＰＡフィルタ３７は、図７に示すように、横方向（一方向）へジグザグ（蛇腹状）に整然と折り畳まれている。ＨＥＰＡフィルタ３７は、その空気流入側（プレフィルタ３６の側）に位置する第１折曲部５１と、その空気流出側（放射性有機ヨウ素除去フィルタ３８の側）に位置する第２折曲部５２とを有する。ＨＥＰＡフィルタ３７は、その折り畳まれた回数が放射性有機ヨウ素除去フィルタ３８のそれよりも多い。ＨＥＰＡフィルタ３７は、そこを通流する空気の空気抵抗が大きい。
【００５６】
ジグザグに折り畳まれたＨＥＰＡフィルタ３７の互いに対向する対向部分の間には、横方向交差する方向へ起伏を繰り返して円弧を画くセパレータ５５が配置されており、それらセパレータ５５によって所定の空隙が形成されている。なお、セパレータ５５は、ＨＥＰＡフィルタ３７の対向部分の間において第１折曲部５１の内側から第２折曲部５２に向かって延びているとともに、対向部分の間において第２折曲部５２の内側から第１折曲部５１に向かって延びている。セパレータ５８は、アルミニウムやステンレス等の金属や合成樹脂から作られている。
【００５７】
放射性有機ヨウ素除去フィルタ３８は、横方向（一方向）へジグザグ（蛇腹状）に整然と折り畳まれている。放射性有機ヨウ素除去フィルタ３８は、その空気流入側（ＨＥＰＡフィルタ３７の側）に位置する第１折曲部５３と、その空気流出側に位置する第２折曲部５４とを有する。ＨＥＰＡフィルタ３７と放射性有機ヨウ素除去フィルタ３８とは、フィルタ３７の第２折曲部５２とフィルタ３８の第１折曲部５３とが対向した状態で並んでいる。
【００５８】
放射性有機ヨウ素除去フィルタ３８は、図８に示すように、活性炭素繊維から形成された２枚の活性炭素繊維シート５０をその厚み方向へ重ね合わせた活性炭素繊維積層シート５６から作られている。活性炭素繊維積層シート５６を横方向（一方向）へ起伏を繰り返すようにジグザグ（蛇腹状）に折り畳むことで放射性有機ヨウ素除去フィルタ３８が作られている。
【００５９】
ジグザグに折り畳まれた放射性有機ヨウ素除去フィルタ３８の互いに対向する対向部分５７の間には、横方向交差する方向へ起伏を繰り返して円弧を画くセパレータ５８が配置されており、それらセパレータ５８によって所定の空隙５９が形成されている。なお、セパレータ５８は、放射性有機ヨウ素除去フィルタ３８の対向部分５７の間において第１折曲部５３の内側から第２折曲部５４に向かって延びているとともに、対向部分５７の間において第２折曲部５４の内側から第１折曲部５３に向かって延びている。セパレータ５８は、アルミニウムやステンレス等の金属や合成樹脂から作られている。
【００６０】
活性炭素繊維は、有機繊維を焼成して炭化し、さらに高温で熱処理をして作られる。活性炭素繊維には、セルロース系やアクリル系、フェノール系、ピッチ系を使用することができる。活性炭素繊維には、その表面から厚み方向へ延びる複数のミクロポアが形成されている。活性炭素繊維シート５０は、繊維不織布、織物、編み物のうちのいずれかの形態を有し、シート５０毎にその全体が撥水処理を施した撥水性繊維不織布６０または疎水性繊維不織布６０に包被されている。
【００６１】
活性炭素繊維積層シート５６では、一方のシート５０に繊維不織布の形態のそれが使用され、他方のシート５０に織物または編み物の形態のそれが使用されている。ただし、活性炭素繊維積層シート５６では、一方および他方のシート５０に繊維不織布の形態のそれが使用されていてもよく、一方および他方のシート５０に織物または編み物の形態のそれが使用されていてもよい。なお、活性炭素繊維積層シート５６は、２枚の活性炭素繊維シート５０を重ね合わせたそれに限らず、３枚以上のシート５０を重ね合わせたものを使用することもできる。
【００６２】
活性炭素繊維シート５０が不織布の形態を有する場合、放射性有機ヨウ素除去フィルタ３８の通気性や加工性が向上するとともに、フィルタ３８における放射性有機ヨウ素の吸着速度を速くすることができる。また、活性炭素繊維シート５０が織物または編み物の形態を有する場合、放射性有機ヨウ素除去フィルタ３８の通気性や加工性が向上するとともに、フィルタ３８の強度や柔軟性が高く、フィルタ３８の操作性を向上させることができる。
【００６３】
活性炭素繊維シート５０の全体が撥水性繊維不織布６０または疎水性繊維不織布６０に包被されているから、それら不織布６０によって水分が放射性有機ヨウ素除去フィルタ３８に達することはなく、フィルタ３８が水に濡れることによるフィルタ３８の放射性有機ヨウ素除去機能の低下を防ぐことができる。また、放射性有機ヨウ素除去フィルタ３８が直接外部に露出することによるフィルタ３８の破損を防ぐことができ、フィルタ３８が破損することによるフィルタ３８の放射性有機ヨウ素除去機能の低下を防ぐことができる。
【００６４】
活性炭素繊維シート５０には、放射性有機ヨウ素を吸着するトリエチレンジアミンＣ６Ｈ１２Ｎ２（アミン類）が添着されている。活性炭素繊維シート５０の単位重量に対するトリエチレンジアミンＣ６Ｈ１２Ｎ２の添着量は、１０〜２０重量％の範囲、好ましくは、１２〜１８重量％の範囲、より好ましくは、１３〜１６重量％の範囲にある。活性炭素繊維積層シート５０では、放射性有機ヨウ素が活性炭素繊維のミクロポアに捕集されるとともに、放射性有機ヨウ素が活性炭素繊維シート５０に添着されたトリエチレンジアミンＣ６Ｈ１２Ｎ２に吸着される。
【００６５】
トリエチレンジアミンＣ６Ｈ１２Ｎ２の添着量が１０重量％未満では、トリエチレンジアミンＣ６Ｈ１２Ｎ２を活性炭素繊維シート５０の全域に添着させることができない場合があり、トリエチレンジアミンＣ６Ｈ１２Ｎ２を介して放射性有機ヨウ素を活性炭素繊維シート５０に十分に吸着させることができず、放射性有機ヨウ素除去フィルタ３８における放射性有機ヨウ素の除去機能が不十分になる場合がある。トリエチレンジアミンＣ６Ｈ１２Ｎ２の添着量が２０重量％を超過すると、トリエチレンジアミンＣ６Ｈ１２Ｎ２が活性炭素繊維のミクロポアを塞いでしまう場合があり、放射性有機ヨウ素をミクロポアにおいて捕集することができない場合がある。
【００６６】
なお、アミン類として、トリエチレンジアミンＣ６Ｈ１２Ｎ２が使用されているが、トリエチレンジアミンＣ６Ｈ１２Ｎ２の他に、１，４−ジアザ−２，２，２−ピシクロオクタン、Ｎ，Ｎ‘−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルピロエチレンイミン、ポリアルキルポリアミンのうちの１種類のアミン類またはそれらの数種類を混合したアミン類を使用することもできる。
【００６７】
放射性有機ヨウ素除去フィルタ３８の第１折曲部５３から第２折曲部５４までの長さ寸法Ｌ１は、空気流入口２７の面積を一定としたときの空気流入口２７に流入する空気の風量によって決定される。空気流入口２７の規格化された面積において、空気流入口２７から流入させる空気の風量が２８〜３２ｍ３／ｍｉｎの範囲の場合、ジグザグに折り畳まれた放射性有機ヨウ素除去フィルタ３８の第１折曲部５３から第２折曲部５４までの長さ寸法Ｌ１が１１０〜１３０ｍｍに決まる。また、空気流入口２７の規格化された面積において、空気流入口２７から流入させる空気の風量が４０〜６０ｍ３／ｍｉｎの範囲の場合、ジグザグに折り畳まれた放射性有機ヨウ素除去フィルタ３８の第１折曲部５３から第２折曲部５４までの長さ寸法Ｌ１が２６４〜２８４ｍｍに決まる。
【００６８】
この放射性物質除去装置１０は、ケーシング１２の空気流入口２７の面積を一定に維持しつつ、その空気流入口２７から流入させる空気の風量によって放射性有機ヨウ素除去フィルタ３８の第１折曲部分５３から第２折曲部分５４までの長さ寸法Ｌ１を決めることができ、空気流入口２７の面積を規格のそれに維持しつつ、その規格内においてフィルタ３８に通流する風量を自由に選択することができ、単位時間当たりの空気の清浄処理量を自由に決めることができる。
【００６９】
図９は、放射性有機ヨウ素除去効率の試験装置７０を示す図である。放射性有機ヨウ素除去フィルタ３８では、その面速が１０〜２５ｃｍ／ｓｅｃの範囲、好ましくは、１５〜２０ｃｍ／ｓｅｃの範囲にあり、空気の湿度９５％における放射性有機ヨウ素除去効率が９５％以上、好ましくは９７％以上、より好ましくは９９．９９９％以上である。面速が１０ｃｍ／ｓｅｃ未満では、単位時間当たりの空気の清浄処理量を多くすることができない。面速が２５ｃｍ／ｓｅｃを超過すると、放射性有機ヨウ素除去フィルタ３８を通過する空気の速度が速すぎ、フィルタ３８が放射性有機ヨウ素を捕集することができない場合がある。空気の湿度９５％における放射性有機ヨウ素除去効率が９５％未満では、空気に含まれる放射性有機ヨウ素を確実に除去することができない場合がある。
【００７０】
放射性有機ヨウ素除去フィルタ３８における放射性有機ヨウ素除去効率は、図９の試験装置７０を利用し、その測定結果に基づいて割り出した。試験装置７０は、ボンベ７１、ガス流量計７２、光音響ガスモニタ７３（ガス濃度測定装置）、フィルタカートリッジ７４、空気流量計７５、吸気ポンプ７６から形成されている。ボンベ７１やガス流量計７２、光音響ガスモニタ７３、フィルタカートリッジ７４、空気流量計７５、吸気ポンプ７６は、管路７７を介して接続されている。フィルタカートリッジ７４の上流側の管路７７と下流側に管路７７とには、バイパス管路７８が接続されている。なお、管路７７には、フィルタカートリッジ７４への空気の流入とバイパス管路７８への空気の流入とを切り替える切替バルブ（図示せず）が設置されている。
【００７１】
ボンベ７１には、管路７７に供給するヨウ化メチルガスが収容されている。フィルタカートリッジ７４には、試験用フィルタ７９（試験用放射性有機ヨウ素除去フィルタ３８）が着脱可能に固定される。光音響ガスモニタ７３は、フィルタカートリッジ７４の上流側の管路７７および下流側に管路７７に接続されている。光音響ガスモニタ７３は、管路７７に流れる空気に含まれるヨウ化メチルの濃度を連続的に測定する。試験用フィルタ７９の仕様は、トリエチレンジアミンＣ６Ｈ１２Ｎ２の添着量が１５．９重量％、目付が２０９ｇ／ｍ２、厚み寸法が３ｍ、比表面積が１４００〜１４５０、重量が０．３８ｇである。
【００７２】
試験手順は、以下のとおりである。試験用フィルタ７９をフィルタカートリッジ７４に固定し、吸気ポンプ７６および光音響ガスモニタ７３を稼動させ、空気流量計の測定値を確認しつつ、所定流量（面速（１０〜２５ｃｍ／ｓｅｃ）を流量に換算した場合の流量）の空気を管路７７に流し、フィルタカートリッジ７４の下流側に延びる管路７７の露点の変化を監視した。露点測定値が設定した値（空気湿度９５％）の場合、切替バルブを介してフィルタカートリッジ７４への空気の流入を停止し、バイパス管路７８に一定流量の空気を流した。次に、ガス流量計７２の測定値を確認しつつ、ボンベ７１から一定量のヨウ化メチルガスを管路７７に供給し、光音響ガスモニタ７３を介して空気に含まれるヨウ化メチルガスの濃度が一定の濃度であることを確認した。
【００７３】
ヨウ化メチルガスの濃度が一定の濃度である場合、切替バルブを介してバイパス管路７８への空気の流入を停止し、フィルタカートリッジ７４に一定流量の空気を流し、光音響ガスモニタ７３を介してヨウ化メチルガスの濃度を連続して測定した。光音響ガスモニタ７３を利用し、フィルタカートリッジ７４の上流側の管路７７から空気をサンプリングしてその空気に含まれるヨウ化メチルの濃度を測定するとともに、フィルタカートリッジ７４の下流側の管路７７から空気をサンプリングしてその空気に含まれるヨウ化メチルの濃度を測定した。
【００７４】
ヨウ化メチルガスの濃度測定は、フィルタカートリッジ７４の下流側の濃度測定値がカートリッジ７４の上流側の濃度測定値の１／３に達するまで継続した。ヨウ化メチル除去効率（放射性有機ヨウ素除去効率）は、以下の式によって算出した。η＝（Ｃ１−Ｃ２）／Ｃ１×１００、ここで、ηはヨウ化メチル除去効率（放射性有機ヨウ素除去効率）（％）、Ｃ１はフィルタカートリッジ７４の上流側の空気に含まれるヨウ化メチルの濃度（ｐｐｍ）、Ｃ２はカートリッジ７４の下流側の空気に含まれるヨウ化メチルの濃度（ｐｐｍ）である。試験結果として、ヨウ化メチル除去効率（放射性有機ヨウ素除去効率）は、９９％以上を示した。なお、試験用フィルタ７９ではヨウ化メチル除去効率（放射性有機ヨウ素除去効率）９９％以上を示したが、それから割り出した放射性有機ヨウ素除去フィルタ３８の放射性有機ヨウ素除去効率として９５％以上を最低効率とし、９９．９９９％以上を最高効率とする。
【００７５】
放射性有機ヨウ素除去フィルタ３８では、２枚の活性炭素繊維シート５０を重ね合わせた活性炭素繊維積層シート５６の横方向（一方向）への折り曲げ回数がフィルタ３８の横方向（一方向）の長さ１００ｍｍに対して８〜９回の範囲にある。折り曲げ回数が８回未満では、フィルタ３８に必要な吸着面積を確保することができず、放射性有機ヨウ素の捕集性能が低下する場合がある。折り曲げ回数が９回を超過すると、活性炭素繊維積層シート５６が密に重なり合い、フィルタ３８の面速が低下し、単位時間当たりの空気の清浄処理量を多くすることができない。活性炭素繊維積層シート５６の横方向（一方向）への折り曲げ回数が前記範囲にあるから、フィルタ３８における面速を速くすることができ、単位時間当たりの空気の清浄処理量を多くすることができるとともに、フィルタ３８に必要な吸着面積を確保することができ、放射性有機ヨウ素の高い捕集性能を維持することができる。
【００７６】
図１０は、フィルタ収容スペース２６への複合フィルタ２５の収容状態の他の一例を示す図であり、図１１は、放射性有機ヨウ素除去フィルタ３８を形成する活性炭素繊維シート５０の部分拡大図である。図１１では、セパレータ５８の図示を省略している。この放射性有機ヨウ素除去フィルタ３８が図６のそれと異なるところはフィルタ３８が１枚の活性炭素繊維シート５０を横方向（一方向）へジグザグに折り畳むことから作られている点にあり、その他の構成は図６のフィルタ３８のそれらと同一であるから、図６と同一の符号を付すとともに、図６のフィルタ３８の説明を援用することで、このフィルタ３８におけるその他の構成の説明は省略する。
【００７７】
この放射性有機ヨウ素除去フィルタ３８は、図１１に示すように、活性炭素繊維から形成された１枚の活性炭素繊維シート５０から作られている。フィルタ３８では、１枚の活性炭素繊維シート５０が一方向へ起伏を繰り返すようにジグザグ（蛇腹状）に折り畳まれている。活性炭素繊維シート５０は、繊維不織布、織物、編み物のうちのいずれかの形態を有し、シート５０毎にその全体が撥水処理を施した撥水性繊維不織布６０または疎水性繊維不織布６０に包被されている。ジグザグに折り畳まれた放射性有機ヨウ素除去フィルタ３８の互いに対向する対向部分５７の間には、横方向交差する方向へ起伏を繰り返して円弧を画くセパレータ５８が配置されており、それらセパレータ５８によって所定の空隙５９が形成されている（図６援用）。
【００７８】
活性炭素繊維シート５０には、放射性有機ヨウ素を吸着するトリエチレンジアミンＣ６Ｈ１２Ｎ２（アミン類）が添着されている。活性炭素繊維の単位重量に対するトリエチレンジアミンＣ６Ｈ１２Ｎ２の添着量は、１０〜２０重量％の範囲、好ましくは、１２〜１８重量％の範囲、より好ましくは、１３〜１６重量％の範囲にある。なお、アミン類としてトリエチレンジアミンＣ６Ｈ１２Ｎ２の他に、図６のフィルタの活性炭素繊維シートに添着可能な前記アミン類のうちの１種類またはそれらの数種類を混合したアミン類を使用することもできる。
【００７９】
図１１の放射性有機ヨウ素除去フィルタ３８の第１折曲部５３から第２折曲部５４までの長さ寸法Ｌ１は、空気流入口２７の面積を一定としたときの空気流入口２７に流入する空気の風量によって決定される。放射性物質除去装置１０は、ケーシング１２の空気流入口２７の面積を一定に維持しつつ、その空気流入口２７から流入させる空気の風量によって放射性有機ヨウ素除去フィルタ３８の第１折曲部５３２から第２折曲部５４までの長さ寸法Ｌ１を決めることができ、空気流入口２７の面積を規格のそれに維持しつつ、その規格内においてフィルタ３８に通流する風量を自由に選択することができ、単位時間当たりの空気の清浄処理量を自由に決めることができる。
【００８０】
図１１の放射性有機ヨウ素除去フィルタ３８では、その面速が１０〜２５ｃｍ／ｓｅｃの範囲、好ましくは、１５〜２０ｃｍ／ｓｅｃの範囲にある。フィルタ３８は、図６のフィルタ３８と同様に、試験装置７０を使用して計算した試験用フィルタ７９のヨウ化メチル除去効率（放射性有機ヨウ素除去効率）から割り出した放射性有機ヨウ素除去効率が９５％以上、好ましくは９７％以上、より好ましくは９９．９９９％以上である（空気の湿度９５％）。面速が１０ｃｍ／ｓｅｃ未満では、単位時間当たりの空気の清浄処理量を多くすることができない。面速が２５ｃｍ／ｓｅｃを超過すると、フィルタ３８を通過する空気の速度が速すぎ、フィルタ３８が放射性有機ヨウ素を捕集することができない場合がある。空気の湿度９５％における放射性有機ヨウ素除去効率が９５％未満では、空気に含まれる放射性有機ヨウ素を確実に除去することができない場合がある。
【００８１】
図１１の放射性有機ヨウ素除去フィルタ３８では、その一方向への折り曲げ回数がフィルタの横方向（一方向）の長さ１００ｍｍに対して１６〜１８回の範囲にある。折り曲げ回数が１６回未満では、フィルタ３８に必要な吸着面積を確保することができず、放射性有機ヨウ素の捕集性能が低下する場合がある。折り曲げ回数が１８回を超過すると、活性炭素繊維シート５０が密に重なり合い、フィルタ３８の面速が低下し、単位時間当たりの空気の清浄処理量を多くすることができない。フィルタ３８は、横方向への折り曲げ回数が前記範囲にあるから、フィルタ３８における面速を速くすることができ、単位時間当たりの空気の清浄処理量を多くすることができるとともに、フィルタ３８に必要な吸着面積を確保することができ、放射性有機ヨウ素の高い捕集性能を維持することができる。
【００８２】
図８や図１１の放射性有機ヨウ素除去フィルタ３８は、面速１０〜２５ｃｍ／ｓｅｃにおけるその圧力損失が１００〜３００Ｐａの範囲、好ましくは、２００〜２５０Ｐａの範囲にある。フィルタ３８の圧力損失は、フィルタ３８をダクトに設置し、送風機を稼動させてそのフィルタ３８に空気を流入させた実際の使用状態において測定した。定格風量の略１３０％まで、風量を段階的に変化させ、そのときのフィルタ３８の圧力損失を測定した。
【００８３】
圧力損失が３００Ｐａを超過すると、フィルタ３８を通過する空気の通過速度が遅くかつフィルタ３８を通過する空気の流量が少なくなり、単位時間当たりの空気の清浄処理量を多くすることができない。圧力損失が１００Ｐａ未満では、フィルタ３８を通過する空気の通過速度が速すぎ、フィルタ３８が放射性有機ヨウ素を捕集することができない場合がある。
【００８４】
図８や図１１の放射性有機ヨウ素除去フィルタ３８では、活性炭素繊維シート５０の平均繊維径が１０〜１８μｍの範囲、好ましくは、１２〜１６μｍの範囲にある。平均繊維径が１８μｍを超過すると、活性炭素繊維シート５０の幾何学的な表面積が相対的に少なくなるため、特許請求の範囲に規定されたフィルタ３８における放射性有機ヨウ素の除去効率が得られなくなる場合がある。繊維径が１０μｍ未満では、活性炭素繊維シート５０の通気性が低下し、フィルタ３８の圧力損失が増加してフィルタの面速が低下する。
【００８５】
図８や図１１の放射性有機ヨウ素除去フィルタ３８では、活性炭素繊維シート５０（１枚）の目付が１００〜３５０ｇ／ｍ２の範囲、好ましくは、１５０〜３００ｇ／ｍ２の範囲、より好ましくは、１８０〜２７０ｇ／ｍ２の範囲にある。また、活性炭素繊維シート５０（１枚）のみかけの嵩密度が０．０３〜０．１３ｇ／ｃｍ３の範囲、好ましくは、０．０５〜０．０１１ｇ／ｃｍ３の範囲にある。活性炭素繊維シート５０の目付が１００ｇ／ｍ２未満であって、活性炭素繊維シート５０のみかけの嵩密度が０．０３ｇ／ｃｍ３未満では、シート５０の強度が弱く、シート５０がその形態を維持することができない場合がある。活性炭素繊維シート５０の目付が３５０ｇ／ｍ２を超過するとともに、活性炭素繊維シート５０のみかけの嵩密度が０．１３ｇ／ｃｍ３を超過すると、シート５０の通気性が低下し、フィルタ３８の圧力損失が増加してフィルタ３８の面速が低下する。また、活性炭素繊維シート５０の厚み寸法が必要に大きくなり、シート５０の柔軟性が低下するのみならず、フィルタ３８全体の寸法をコンパクトにすることができないとともに、単位体積当たりのフィルタ３８の重量を少なくすることができない。
【００８６】
活性炭素繊維シート５０の平均繊維径やシート５０の目付、シート５０のみかけの嵩密度が前記範囲にあるから、シート５０を横方向（一方向）へジグザグに折り畳むことによって作られたフィルタ３８全体の寸法をコンパクトにすることができるとともに、単位体積当たりのフィルタ３８の重量を少なくすることができ、フィルタ３８が嵩張ることはなく、その持ち運びや設置、取り外しを容易に行うことができる。また、フィルタ３８全体の寸法をコンパクトにすることができることにより、放射性物質除去装置１０自体をコンパクトにすることができる。
【００８７】
図８や図１１の放射性有機ヨウ素除去フィルタ３８では、活性炭素繊維シート５０の厚み寸法Ｌ２が２〜４ｍｍの範囲（活性炭素繊維積層シート５６の場合は、４〜８ｍｍの範囲）、好ましくは、３ｍｍ（活性炭素繊維積層シート５６の場合は、６ｍｍ）である。活性炭素繊維シート５０の厚み寸法Ｌ２が２ｍｍ未満では、シート５０の強度が弱く、シート５０がその形態を維持することができない場合がある。活性炭素繊維シート５０の厚み寸法Ｌ２が４ｍｍを超過すると、シート５０の通気性が低下し、フィルタ３８の圧力損失が増加してフィルタ３８の面速が低下する。また、シート５０の厚み寸法Ｌ２が必要以上に大きくなり、シート５０の柔軟性が低下するのみならず、フィルタ３８全体の寸法をコンパクトにすることができないとともに、単位体積当たりのフィルタ３８の重量を少なくすることができない。
【００８８】
フィルタ３８は、活性炭素繊維シート５０の厚み寸法Ｌ２が前記範囲にあるから、シート５０（活性炭素繊維積層シート５６を含む）を横方向（一方向）へジグザグに折り畳むことによって作られたフィルタ３８全体の寸法をコンパクトにすることができるとともに、単位体積当たりのフィルタ３８の重量を少なくすることができ、フィルタ３８が嵩張ることはなく、その持ち運びや設置、取り外しを容易に行うことができる。また、フィルタ３８全体の寸法をコンパクトにすることができることにより、放射性物質除去装置１０自体をコンパクトにすることができる。
【００８９】
次に、放射性物質除去装置１０の運転手順を説明する。ケーシング１２の後壁２２を旋回させ、フィルタ収容スペース２６を開放した後、プレフィルタ収容スペース３３にプレフィルタ３６を設置し、ＨＥＰＡフィルタ収容スペース３４にＨＥＰＡフィルタ３７を設置するとともに、放射性有機ヨウ素除去フィルタ収容スペース３５に放射性有機ヨウ素除去フィルタ３８を設置する。それらフィルタ収容スペース３３〜３５に各フィルタ３６〜３８を設置した後、後壁２２を旋回させてスペース２６を閉鎖し、固定手段によって後壁２２と頂底壁１９，２０とを気密に密着させ、後壁２２と側壁２３，２４とを気密に密着させる。それらフィルタ収容スペース３３〜３５に各フィルタ３６〜３８を設置すると、それらフィルタ３６〜３８が図６や図１０の状態で並び、複合フィルタ２５を形成する。
【００９０】
機器設置用架台１１に取り付けられたキャスター１８によって、原子力関連施設や医療施設のうちの放射性微粒子の放出のおそれや放射性有機ヨウ素が発生するおそれがある箇所に放射性物質除去装置１０を移動させた後、キャスター１８のストッパーをロックし、放射性物質除去装置１０をその箇所に固定する。次に、コントロールボックス１７に電源（コントロールボックス１７から延びる電線（図示せず）の端子を電源ソケットに差し込む）を接続し、コントロールボックス１７のスイッチ４９をＯＮにする。
【００９１】
スイッチ４９をＯＮにすると、コントロールボックス１７が稼働し、コントロールボックス１７のディスプレイ４８に送風機１３の回転数（出力）が表示されるとともに、空気清浄実行ボタン、空気清浄中止ボタン、装置停止ボタン、プレフィルタ交換不要メッセージ、ＨＥＰＡフィルタ交換不要メッセージが表示される（図示せず）。送風機１３の回転数を変更する場合、テンキーユニット４７の入力キーを操作して新たな回転数を入力する。送風機１３の回転数は、風量２８〜６０ｍ３／ｍｉｎの範囲で変更することができる。送風機１３の回転数に変更がなく、または、回転数を変更した後、空気清浄実行ボタンを押す。
【００９２】
空気清浄実行ボタンを押すと、送風機１３が稼動する。なお、空気清浄中止ボタンを押すと、送風機１３が停止する。装置停止ボタンを押すと、スイッチ４９がＯＦＦとなり、放射性物質除去装置１０が停止する。施設内の空気は、送風機１３によって強制的に吸気管２８の空気流入口２７からケーシング１２内に流入する。ケーシング１２内に流入した空気は、プレフィルタ３６の流入面３９からフィルタ３６内部に流入し、フィルタ３６内部を通流した後、フィルタ３６の流出面４０から流出する。空気に塵埃が含まれている場合、その塵埃がプレフィルタ３６に捕集される。塵埃は、プレフィルタ３６によって除去される。
【００９３】
塵埃が除去されてプレフィルタ３６から流出した空気は、ＨＥＰＡフィルタ３７の流入面４１からフィルタ３７内部に流入し、フィルタ３７を通流した後、フィルタ３７の流出面４２から流出する。プレフィルタ３６から流出した空気に微細な塵埃や放射性微粒子が含まれている場合、それら塵埃や放射性微粒子がＨＥＰＡフィルタ３７に捕集される。微細な塵埃や放射性微粒子は、ＨＥＰＡフィルタ３７によって除去される。
【００９４】
なお、ＨＥＰＡフィルタ３７の折り畳み回数が多く、フィルタ３７が密に折り畳まれてフィルタ３８を通流する空気の空気抵抗が大きいから、その空気抵抗によってフィルタ３８の流入面４１における空気の圧力が流入面４１全域において略一定になるように、フィルタ３７に流入する空気が整流され、フィルタ３７の流出面４２から流出する空気の風量が流出面４２全域において略均一となり、フィルタ３７の流出面４２全域から略一定の風量の空気が放射性有機ヨウ素除去フィルタ３８の流入面４３全域に向かって放出される。
【００９５】
空気がＨＥＰＡフィルタ３７の流入面４１全域からフィルタ３７内部に流入せず、空気がフィルタ３７に局所的に流入する（偏って流入する）と、フィルタ３７の放射性微粒子除去機能を十分に活用することができないが、空気がフィルタ３７の流入面４１全域からフィルタ３７内部に流入するから、フィルタ３７の放射性微粒子除去機能を最大限に活用することができ、施設の空気に含まれる微細な塵埃や放射性微粒子を確実に捕集かつ除去することができる。
【００９６】
微細な塵埃や放射性微粒子が除去されてＨＥＰＡフィルタ３７の流出面４２全域から流出した略一定の風量の空気は、放射性有機ヨウ素除去フィルタ３８の流入面４３全域からフィルタ３８内部に満遍なく流入し、フィルタ３８を通流してフィルタ３８の流出面４４から流出する。ＨＥＰＡフィルタ３７から流出した空気に放射性有機ヨウ素が含まれている場合、その放射性有機ヨウ素が活性炭素繊維のミクロポアに捕集されるとともに、活性炭素繊維シート５０に添着されたトリエチレンジアミンＣ６Ｈ１２Ｎ２に吸着される。
【００９７】
なお、空気が放射性有機ヨウ素除去フィルタ３８の流入面４３全域からフィルタ３８内部に流入せず、空気がフィルタ３８に局所的に流入する（偏って流入する）とともに、局所的に偏った風量の空気がフィルタ３８に流入すると、フィルタ３８の放射性有機ヨウ素除去機能を十分に活用することができないが、ＨＥＰＡフィルタ３７の流出面４２全域から略一定の風量の空気がフィルタ３８の流入面４３全域に向かって放出され、略一定の風量の空気がフィルタ３８の流入面４３全域からフィルタ３８内部に流入するから、フィルタ３８の放射性有機ヨウ素除去機能を最大限に活用することができ、施設の空気に含まれる放射性有機ヨウ素を確実に捕集かつ除去することができる。
【００９８】
塵埃や放射性微粒子、放射性有機ヨウ素が除去されて放射性有機ヨウ素除去フィルタ３８の流出面４４から流出した清浄空気は、送風機１３の排気管４６から施設内に戻される。放射性物質除去装置１０では、送風機１３の稼働中にその回転数を変更することもできる。テンキーユニット４７の入力キーを操作して新たな回転数を入力すると、コントロールボックス１７は、インバータ制御を行って送風機１３の回転数を入力された回転数に変更する。コントロールボックス１７は、第１〜第３圧力センサ１４〜１６から出力された空気の圧力から第１差圧および第２差圧を算出し、第１差圧が第１設定差圧を超過した場合、プレフィルタ交換要メッセージをディスプレイ４８に表示し、第２差圧が第２設定差圧を超過した場合、ＨＥＰＡフィルタ交換要メッセージをディスプレイ４８に表示する。プレフィルタ交換要メッセージやＨＥＰＡフィルタ交換要メッセージが表示された場合、それらフィルタ３６，３７を新しいそれらに交換する。
【００９９】
放射性物質除去装置１０は、放射性有機ヨウ素を吸着するトリエチレンジアミンＣ６Ｈ１２Ｎ２（アミン類）が活性炭素繊維シート５０に添着されており、放射性有機ヨウ素除去フィルタ３８の面速が１０〜２５ｃｍ／ｓｅｃの範囲、空気の湿度９５％におけるフィルタ３８の放射性有機ヨウ素除去効率が９５％以上、好ましくは９７％以上、より好ましくは９９．９９９％以上であるから、空気の高湿度環境下において優れた放射性有機ヨウ素除去性能を発揮するとともに、フィルタ３８における空気の通過速度が速くかつフィルタ３８を通過する空気の流量が多く、放射性物質除去装置１０における単位時間当たりの空気の清浄処理量を多くすることができるのみならず、空気に含まれる放射性有機ヨウ素を確実に捕集かつ除去することができ、放射性有機ヨウ素を除去した清浄な空気を作ることができる。
【０１００】
放射性物質除去装置１０は、ＨＥＰＡフィルタ３７が施設の空気に含まれる微細な塵埃や放射性微粒子を捕集するから、微細な塵埃や放射性微粒子を確実に捕集かつ除去することができ、施設において塵埃や放射性微粒子を除去した清浄な空気を作ることができる。放射性物質除去装置１０は、放射性微粒子の放出のおそれや放射性有機ヨウ素が発生するおそれがある原子力関連施設や医療施設に使用することで、それら施設から発生する放射性微粒子や放射性有機ヨウ素を確実に除去することができ、それら施設の安全性を確保することができる。
【０１０１】
放射性物質除去装置１０は、第１差圧が第１設定差圧を超過することによってプレフィルタ３６の交換時期を確認することができ、第２差圧が第２設定差圧を超過することによってＨＥＰＡフィルタ３７の交換時期を確認することができるから、プレフィルタ３６やＨＥＰＡフィルタ３７の交換時期を正確に判断することができる。放射性物質除去装置１０は、プレフィルタ３６やＨＥＰＡフィルタ３７を適時に交換することができるから、それらフィルタ３６，３７が目詰まりすることによる塵埃の除去機能の低下や放射性微粒子の除去機能の低下、放射性有機ヨウ素の除去機能の低下を防ぐことができ、施設の空気に含まれる放射性微粒子や放射性有機ヨウ素を確実に捕集かつ除去することができ。
【０１０２】
放射性物質除去装置１０は、面速１０〜２５ｃｍ／ｓｅｃにおける放射性有機ヨウ素除去フィルタ３８の圧力損失が１００〜３００Ｐａの範囲にあるから、所定の面速に対するフィルタ３８の圧力損失が低く、フィルタ３８を通過する空気の通過速度が速くかつフィルタ３８を通過する空気の流量が多いから、放射性物質除去装置における単位時間当たりの空気の清浄処理量を多くすることができる。放射性物質除去装置１０は、アミン類のうち、放射性有機ヨウ素の高い吸着機能を有するトリエチレンジアミンＣ６Ｈ１２Ｎ２を利用し、トリエチレンジアミンＣ６Ｈ１２Ｎ２の添着量が１０〜２０重量％の範囲にあり、放射性有機ヨウ素がそのトリエチレンジアミンＣ６Ｈ１２Ｎ２に瞬時に吸着されるから、空気に含まれる放射性有機ヨウ素を確実に捕集かつ除去することができる。放射性物質除去装置１０は、一度吸着した放射性有機ヨウ素をトリエチレンジアミンＣ６Ｈ１２Ｎ２が放出することはなく、捕集された放射性有機ヨウ素の装置１０からの再飛散を確実に防ぐことができる。
【０１０３】
放射性物質除去装置１０では、ケーシング１２のフィルタ収容スペース２６がその上部から下部に向かってプレフィルタ収容スペース３３、ＨＥＰＡフィルタ収容スペース３４、放射性有機ヨウ素除去フィルタ収容スペース３５の順に区分されているが、収容スペース２６がその上部から下部に向かってプレフィルタ収容スペース３３、放射性有機ヨウ素除去フィルタ収容スペース３５、ＨＥＰＡフィルタ収容スペース３４の順に区分されていてもよい。この場合、それらフィルタ３６〜３８は、フィルタ収容スペース２６の上部から下部に向かって、プレフィルタ３６、放射性有機ヨウ素除去フィルタ３８、ＨＥＰＡフィルタ３７の順に並ぶ。
【符号の説明】
【０１０４】
１０    放射性物質除去装置
１２    ケーシング
１３    送風機
１４    第１圧力センサ
１５    第２圧力センサ
１６    第３圧力センサ
１７    コントロールボックス
１９    頂壁
２０    底壁
２１    前壁
２２    後壁
２３    側壁
２４    側壁
２５    複合フィルタ
２６    フィルタ収容スペース
２７    空気流入口
３３    プレフィルタ収納スペース
３４    ＨＥＰＡフィルタ収納スペース
３５    放射性有機ヨウ素除去フィルタ収納スペース
３６    プレフィルタ
３７    ＨＥＰＡフィルタ
３８    放射性有機ヨウ素除去フィルタ
３９    流入面
４０    流出面
４１    流入面
４２    流出面
４３    流入面
４４    流出面
５０    活性炭素繊維シート
５３    第１折曲部
５４    第２折曲部
５６    活性炭素繊維積層シート
６０    繊維不織布
【図１】
2013040884.tif 000003
【図２】
2013040884.tif 000004
【図３】
2013040884.tif 000005
【図４】
2013040884.tif 000006
【図５】
2013040884.tif 000007
【図６】
2013040884.tif 000008
【図７】
2013040884.tif 000009
【図８】
2013040884.tif 000010
【図９】
2013040884.tif 000011
【図１０】
2013040884.tif 000012
【図１１】
2013040884.tif 000013